【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
一の方向に沿って延在した形状を有する柄軸と、
前記柄軸の一端側の端部に固定され、前記一の方向に沿って延在するように設けられた穂先と、
一端部および他端部をそれぞれが有する平板状の複数の圧電センサーであって、前記複数の圧電センサーのそれぞれは、前記一端部が前記柄軸の一端側の端部に固定され、前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された前記複数の圧電センサーと、
前記穂先の撓りに応じて前記複数の圧電センサーから出力される検出電圧に基づいて、前記穂先の撓り状態を検出する撓り状態検出部と、
を備えることを特徴とする入力装置。
【請求項２】
前記撓り状態検出部により検出された前記穂先の撓り状態に関するデータを外部に送信する通信機能部を、さらに備えていることを特徴とする請求項１に記載の入力装置。
【請求項３】
一の方向に沿って延在した形状を有する柄軸と、
前記柄軸の一端側の端部に固定され、前記一の方向に沿って延在するように設けられた穂先と、
一端部および他端部をそれぞれが有する平板状の複数の圧電センサーであって、前記複数の圧電センサーのそれぞれは、前記一端部が前記柄軸の一端側の端部に固定され、前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された前記複数の圧電センサーと、
前記複数の圧電センサーの検出電圧を外部に送信する第１の通信機能部と、を有する電圧検出装置と、
前記電圧検出装置からの前記検出電圧を受信する第２の通信機能部と、
前記検出電圧に基づいて、前記穂先の撓り状態を検出する撓り状態検出部と、を有する撓り状態検出装置と、
を備えることを特徴とする入力装置。
【請求項４】
前記撓り状態検出部は、前記穂先の他端側の撓り量および撓り方向を、前記撓り状態として検出することを特徴とする請求項１乃至３のいずれかに記載の入力装置。
【請求項５】
前記穂先の自由端が接触される入力面を有し、前記穂先の接触位置を検出するタッチセンサーと、
前記穂先の接触位置と前記穂先の撓り状態とに基づいて、前記穂先の運筆状態を判別する運筆状態判別部と、
をさらに備えることを特徴とする請求項１乃至４のいずれかに記載の入力装置。
【請求項６】
前記運筆状態判別部は、前記穂先の移動方向、前記穂先の前記入力面への接触領域の形状、および、前記穂先の前記入力面への接触圧力の分布を、前記運筆状態として判別することを特徴とする請求項５に記載の入力装置。
【請求項７】
前記穂先の運筆状態に応じた画像を表示する表示部を、さらに備えることを特徴とする請求項５または６に記載の入力装置。
【請求項８】
一の方向に沿って延在した形状を有する柄軸の一端側の端部に前記一の方向に沿って延在するように穂先が固定され、一端部および他端部をそれぞれが有する平板状の複数の圧電センサーの各前記一端部が前記柄軸の一端側の端部に固定され、前記複数の圧電センサーの前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された入力装置の、前記穂先に物体が接触したときに前記穂先の他端側に生じた撓りに応じて前記複数の圧電センサーから出力される検出電圧を個別に検出し、
前記検出電圧に基づいて、前記複数の圧電センサーの撓り量および撓り方向を検出し、
前記複数の圧電センサーの撓り量および撓り方向に基づくベクトルを合成処理することにより、前記穂先の他端側の前記物体への接触領域の形状、および、前記穂先の前記入力面への接触圧力の分布を判別する、
ことを特徴とする入力操作解析方法。
【請求項９】
コンピュータに、
一の方向に沿って延在した形状を有する柄軸の一端側の端部に前記一の方向に沿って延在するように穂先が固定され、一端部および他端部をそれぞれが有する平板状の複数の圧電センサーの各前記一端部が前記柄軸の一端側の端部に固定され、前記複数の圧電センサーの前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された入力装置の、前記穂先に物体が接触したときに前記穂先の他端側に生じた撓りに応じて発生する検出電圧を、前記複数の圧電センサーにより個別に検出させて、
前記検出電圧に基づいて、前記複数の圧電センサーの撓り量および撓り方向を検出させて、
前記複数の圧電センサーの撓り量および撓り方向に基づくベクトルを合成処理させることにより、前記穂先の他端側の前記物体への接触領域の形状、および、前記穂先の前記入力面への接触圧力の分布を判別させる、
ことを特徴とする入力操作解析プログラム。
【手続補正２】
【補正対象書類名】明細書
【補正対象項目名】００１１
【補正方法】変更
【補正の内容】
【００１１】
本発明に係る入力装置は、
一の方向に沿って延在した形状を有する柄軸と、
前記柄軸の一端側の端部に固定され、前記一の方向に沿って延在するように設けられた穂先と、
一端部および他端部をそれぞれが有する平板状の複数の圧電センサーであって、前記複数の圧電センサーのそれぞれは、前記一端部が前記柄軸の一端側の端部に固定され、前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された前記複数の圧電センサーと、
前記穂先の撓りに応じて前記複数の圧電センサーから出力される検出電圧に基づいて、前記穂先の撓り状態を検出する撓り状態検出部と、
を備えることを特徴とする。
【手続補正３】
【補正対象書類名】明細書
【補正対象項目名】００１２
【補正方法】変更
【補正の内容】
【００１２】
本発明に係る入力装置は、
一の方向に沿って延在した形状を有する柄軸と、
前記柄軸の一端側の端部に固定され、前記一の方向に沿って延在するように設けられた穂先と、
一端部および他端部をそれぞれが有する平板状の複数の圧電センサーであって、前記複数の圧電センサーのそれぞれは、前記一端部が前記柄軸の一端側の端部に固定され、前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された前記複数の圧電センサーと、
前記複数の圧電センサーの検出電圧を外部に送信する第１の通信機能部と、を有する電圧検出装置と、
前記電圧検出装置からの前記検出電圧を受信する第２の通信機能部と、
前記検出電圧に基づいて、前記穂先の撓り状態を検出する撓り状態検出部と、を有する撓り状態検出装置と、
を備えることを特徴とする。
【手続補正４】
【補正対象書類名】明細書
【補正対象項目名】００１３
【補正方法】変更
【補正の内容】
【００１３】
本発明に係る入力操作解析方法は、
一の方向に沿って延在した形状を有する柄軸の一端側の端部に前記一の方向に沿って延在するように穂先が固定され、一端部および他端部をそれぞれが有する平板状の複数の圧電センサーの各前記一端部が前記柄軸の一端側の端部に固定され、前記複数の圧電センサーの前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された入力装置の、前記穂先に物体が接触したときに前記穂先の他端側に生じた撓りに応じて前記複数の圧電センサーから出力される検出電圧を個別に検出し、
前記検出電圧に基づいて、前記複数の圧電センサーの撓り量および撓り方向を検出し、
前記複数の圧電センサーの撓り量および撓り方向に基づくベクトルを合成処理することにより、前記穂先の他端側の前記物体への接触領域の形状、および、前記穂先の前記入力面への接触圧力の分布を判別する、
ことを特徴とする。
【手続補正５】
【補正対象書類名】明細書
【補正対象項目名】００１４
【補正方法】変更
【補正の内容】
【００１４】
本発明に係る入力操作解析プログラムは、
コンピュータに、
一の方向に沿って延在した形状を有する柄軸の一端側の端部に前記一の方向に沿って延在するように穂先が固定され、一端部および他端部をそれぞれが有する平板状の複数の圧電センサーの各前記一端部が前記柄軸の一端側の端部に固定され、前記複数の圧電センサーの前記平板状の面が前記一の方向に沿って延在するように設けられ、かつ、前記複数の圧電センサーのうちの第１の一対の圧電センサーの第１の一対の前記平板状の面が互いに交差する向きに配置されていて、前記複数の圧電センサーのうちの前記第１の一対の圧電センサーとは異なる第２の一対の圧電センサーの第２の一対の前記平板状の面が互いに交差する向きに配置された入力装置の、前記穂先に物体が接触したときに前記穂先の他端側に生じた撓りに応じて発生する検出電圧を、前記複数の圧電センサーにより個別に検出させて、
前記検出電圧に基づいて、前記複数の圧電センサーの撓り量および撓り方向を検出させて、
前記複数の圧電センサーの撓り量および撓り方向に基づくベクトルを合成処理させることにより、前記穂先の他端側の前記物体への接触領域の形状、および、前記穂先の前記入力面への接触圧力の分布を判別させる、
ことを特徴とする。